【手続補正書】
【提出日】平成25年2月15日(2013.2.15)
【手続補正１】
【補正対象書類名】特許請求の範囲
【補正対象項目名】全文
【補正方法】変更
【補正の内容】
【特許請求の範囲】
【請求項１】
入力画像データを処理する画像処理装置であって、
前記入力画像データの水平方向の解像度を変換して、水平解像度変換画像データを出力する水平方向解像度変換部と、
前記水平解像度変換画像データをライン毎に記憶する第１のラインメモリーおよび第２のラインメモリーと、
前記水平解像度変換画像データを前記第１のラインメモリーに記憶させるか前記第２のラインメモリーに記憶させるかを指定するラインメモリー指定部と、
前記第１のラインメモリーおよび前記第２のラインメモリーのいずれか一方から、前記水平解像度変換画像データを読み出すラインメモリー読み出し部と、
前記ラインメモリー読み出し部によって読み出された前記水平解像度変換画像データの、垂直方向の解像度を変換し、出力画像データとして出力する垂直方向解像度変換部と、
を備えてなることを特徴とする画像処理装置。
【請求項２】
前記ラインメモリー指定部は、前記入力画像データに基づくライン情報に応じて、前記水平解像度変換画像データを第１のラインメモリーに記憶させるか第２のラインメモリーに記憶させるかを指定することを特徴とする請求項１に記載の画像処理装置。
【請求項３】
前記ライン情報は、前記水平方向解像度変換部から出力される前記水平解像度変換画像データの、ライン番号を含むことを特徴とする請求項２に記載の画像処理装置。
【請求項４】
前記第１のラインメモリーおよび前記第２のラインメモリーは、それぞれ、前記垂直方向解像度変換部において、前記水平解像度変換画像データの垂直方向の解像度を変換するのに必要なライン数を保持可能な容量を有することを特徴とする請求項１ないし３のいずれか一項に記載の画像処理装置。
【請求項５】
前記ラインメモリー読み出し部は、前記第１のラインメモリーまたは前記第２のラインメモリーのうち、それぞれに記憶された前記水平解像度変換画像データが前記ライン数に達した方から、前記水平解像度変換画像データを読み出すことを特徴とする請求項４に記載の画像処理装置。
【請求項６】
前記出力画像データの出力方式を選択するための画像データ出力方式選択部を備えることを特徴とする請求項１ないし５のいずれか一項に記載の画像処理装置。
【請求項７】
前記水平解像度変換部は、前記入力画像データを構成する走査線の端部から1以上の画素を複製して前記端部に連結し、前記水平解像度変換画像データを生成することを特徴とする請求項１ないし６のいずれか一項に記載の画像処理装置。
【請求項８】
前記走査線が、それぞれ少なくとも左目用画像データと右目用画像データとを含むように構成されている場合、
前記水平解像度変換部は、前記左目用画像データの右端から1以上の画素を複製して前記右端に連結し、左目用水平解像度変換画像データを生成するとともに、前記右目用画像データの左端から少なくとも1以上の画素を複製して前記左端に連結し、右目用水平解像度変換画像データを生成することを特徴とする請求項７に記載の画像処理装置。
【請求項９】
請求項１ないし８のいずれか一項に記載の画像処理装置と、
前記画像処理装置から出力される前記出力画像データに基づく画像を投写する投射光学装置と、を備えたプロジェクター。
【請求項１０】
第１のラインメモリーと第２のラインメモリーとを備えた画像処理装置における画像処理方法であって、
入力画像データの水平方向の解像度を変換して、水平解像度変換画像データを出力するステップと、
前記水平解像度変換画像データを前記第１のラインメモリーに記憶させるか前記第２のラインメモリーに記憶させるかを指定するステップと、
前記第１のラインメモリーおよび前記第２のラインメモリーのいずれか一方から、前記水平解像度変換画像データを読み出すステップと、
前記ラインメモリー読み出し部によって読み出された前記水平解像度変換画像データの、垂直方向の解像度を変換し、出力画像として出力するステップと、
を備えてなることを特徴とする画像処理方法。
【手続補正２】
【補正対象書類名】明細書
【補正対象項目名】００３４
【補正方法】変更
【補正の内容】
【００３４】
ラインメモリー指定部１１０は、ラインメモリー指定部１１０に入力される水平解像度変換画像データ３００のライン番号に基づいて、該当するライン番号の画像データを、左目用水平解像度変換画像データ３００Ｌとして左目用ラインメモリー１２０に記憶させるか、右目用水平解像度変換画像データ３００Ｒとして右目用ラインメモリー１３０に記憶させるかを指定する。フレームを跨いでも、フレームの０ライン目が左眼用であるならば、偶数ラインを左目用水平解像度変換画像データ３００Ｌと判定し、奇数ラインを右目用水平解像度変換画像データ３００Ｒと判定する。なお、次フレームの０ライン目が右目用であるならば、偶数ラインを右目用水平解像度変換画像データ３００Ｒと判定し、奇数ラインを左目用水平解像度変換画像データ３００Ｌと判定する。奇数ラインと偶数ラインとが、それぞれ左目用として用いられるのか、右目用として用いられるのかは、入力画像データ２００の仕様に基づいて判定することができる。
【手続補正３】
【補正対象書類名】明細書
【補正対象項目名】００４８
【補正方法】変更
【補正の内容】
【００４８】
このような入力画像データ２２０を処理する場合は、水平方向解像度変換部１００において、左目用入力画像データ２２１の右端付近を解像度変換する際に、直後に続く右目用入力画像データ２２２を参照すると、画像処理装置１０から出力される出力画像データの右端付近の画質に影響するので好ましくない。この問題は、左目用入力画像データ２２１の、右端部付近の画素を水平方向に折り返した画素列を使って解像度変換を行なうことにより解決することができる。しかも、このような制御は、入力画像データの画素数をカウントするカウンターの値を参照することによって、容易に実現することができる。
【手続補正４】
【補正対象書類名】明細書
【補正対象項目名】００４９
【補正方法】変更
【補正の内容】
【００４９】
図８に示したＰｘｌｅは、左目用画像データ２２１の右端側画素列を、Ｐｘｒｔは、右目用画像データ２２２の左端側画素列を、それぞれ表している。
ここで、画像データ２２０の水平解像度変換の処理を、図９を用いて説明する。Ｐｘｌｅ１は、左目用画像データ２２１を構成するある走査線において、最も右側に位置する画素を表している。また、Ｐｘｌｅ２は、Ｐｘｌｅ１の左隣に位置する画素を表している。この実施例では、水平方向解像度変換部１００は、左目用画像データ２２１の右端に位置する２つの画素を複製して左目用画像の右端部に連結するものとする。水平方向解像度変換部１００は、Ｐｘｌｅ１を複製してＰｘｌｅ１´を生成し、Ｐｘｌｅ１の右側に連結する。さらに、Ｐｘｌｅ２を複製してＰｘｌｅ２´を生成し、Ｐｘｌｅ１´の右側に連結する。このようにして、オリジナルの左目用画像データ２２１の右端側を、２画素分拡張した拡張画像データが生成される。拡張画像データを使って左目用画像データ２２１の右端部の水平解像度を変換することにより、右目用画像データ２２２の左端側画素を参照した場合と比べて、より歪みの少ない変換結果を得ることができる。複製する画素と、複製した画素を連結する位置を変えるだけで、右目用画像データ２２２の左端側を２画素分拡張した拡張画像データを生成することができる。なお、左目用画像データ２２１の左端側と、右目用画像データの右端側も、同様の方法で拡張できることは言うまでもない。また、このような拡張画像データの生成は、上述したいずれの実施例にも適用可能である。